(57)【要約】【課題】  搬送ベルトの電極に供給される±極電源から出力される電流値を計測し、静電吸着搬送可能な記録媒体か否かを判別する。【解決手段】  搬送ベルトに＋極側に電圧を印加する電極と、−極側に電圧を印加する電極設け、＋極高圧電源から＋極側電極へ、−極高圧電源から−極側電極へ、それぞれ給電部材を介して電圧を印加し、搬送ベルトの電極から発生する静電気力により記録媒体を吸着する記録媒体搬送装置において、＋極高圧電源から出力される電流値を計測する＋極電流検出部と−極高圧電源から出力される電流値を計測する−極電流検出部を設け、電流検出部において検出された電流値が記録媒体搬送時に増加しなけば静電吸着不可能な紙種と判断し、記録媒体の搬送を中止することを特徴とする記録媒体搬送装置。【選択図】  図９
2008222421.tif 000002
【特許請求の範囲】
【請求項１】
搬送ベルトに＋極側に電圧を印加する電極と、−極側に電圧を印加する電極設け、＋極高圧電源から＋極側電極へ、−極高圧電源から−極側電極へ、それぞれ給電部材を介して電圧を印加し、搬送ベルトの電極から発生する静電気力により記録媒体を吸着する記録媒体搬送装置において、
＋極高圧電源から出力される電流値を計測する＋極電流検出部と−極高圧電源から出力される電流値を計測する−極電流検出部を設け、電流検出部において検出された電流値が記録媒体搬送時に増加しなけば静電吸着不可能な紙種と判断することを特徴とする記録媒体搬送装置。
【請求項２】
電流検出部において検出された電流値が記録媒体搬送時に増加しなけば静電吸着不可能な紙種と判断し、記録媒体の搬送を中止することを特徴とする請求項１に記載記録媒体搬送装置。
【請求項３】
電流検出部において検出された電流値が記録媒体搬送時に増加しなけば静電吸着不可能な紙種と判断し、記録媒体への印字動作を中止することを特徴とする請求項１に記載記録媒体搬送装置。
【請求項４】
記録媒体へ印字を行う印字装置に退避機能を設け、電流検出部において検出された電流値が記録媒体搬送時に増加しなけば静電吸着不可能な紙種と判断し、印字装置を退避させることを特徴とする請求項１に記載記録媒体搬送装置。
【請求項５】
記録媒体への加湿を行う加湿装置を設け、電流検出部において検出された電流値が記録媒体搬送時に増加しなけば、加湿装置から記録媒体への加湿を行うことを特徴とする請求項１に記載記録媒体搬送装置。
【発明の詳細な説明】
【技術分野】
【０００１】
本発明は、インクジェット記録装置の記録媒体搬送方法に関し、特に、記録媒体の幅に対応した記録素子列を備えたフルライン型のインクジェット記録ヘッドを複数有するインクジェット記録装置の記録媒体搬送装置に関するものである。
【背景技術】
【０００２】
例えばワードプロセッサ、パーソナルコンピュータ、ファクシミリ等に於ける情報出力装置として、所望される文字や画像等の情報を用紙やフィルム等シート状の記録媒体に記録を行うプリンタがある。
【０００３】
プリンタの記録方式としては様々な方式が知られているが、用紙等の記録媒体に非接触記録が可能である、ランニングコストが安い、カラー化が容易である、ノンインパクト方式であるため静粛性に富む、等の理由でインクジェット方式が近年特に注目されている。
【０００４】
また、インクジェット記録装置の中でも、記録幅に対応した記録素子（ノズル）列を備えた記録ヘッドを有し、記録媒体を搬送させつつ記録を行うフルライン型の記録装置は、記録の一層の高速化が可能であることから、広く使用されつつある。
【０００５】
このようなフルライン型の記録装置は、それぞれ異なった色のインクを吐出する複数の記録ヘッドを記録媒体の搬送方向に配列して、各記録ヘッドから同時にインクを吐出可能とすることにより、カラー記録の際にも記録速度を低下させないように構成される。
【０００６】
このようなインクジェット記録装置の記録ヘッドは、吐出口からインクを液滴として吐出するためにインクに与えるエネルギーを発生するエネルギー発生体と、このエネルギー発生体を内在し、かつ、上述の吐出口に連通するインク流路と、このインク流路を通じて上述のエネルギー発生体に供給するインクを収容するインクタンク等のインク収容手段とから概略構成される。
【０００７】
プリンタ、複写機、ファクシミリ等の機能を有する記録装置、あるいはコンピュータ(以下ＰＣと略す)やワードプロセッサ等を含む複合型電子機器やワークステーション等の出力機器として用いられる記録装置は、記録情報に基づいて用紙やプラスチック薄板等の被記録材に画像(文字や記号等を含む)を記録していくように構成されている。近年、前記記録装置は、従来のドットマトリックスプリンタに代わって、レーザービームプリンタ(以下ＬＢＰと略す)インクジェットプリンタ(以下ＩＪＰと略す)、サーマルプリンタなどが実用化されてきた。そして、今日に至っては、高解像度で高品位の階調表現が可能なＬＢＰや、写真画質品位のフルカラー表現が可能なＩＪＰなどが実用化されている。この記録装置本体の高性能化に伴って前記記録装置の印刷性能を十分に引き出すために、光沢紙、光沢フィルム、コード紙等の高品位記録媒体、さらには写真画質専用なる媒体も実用化されている。このため、記録装置本体には多様化するさまざまな記録用紙に記録できる性能が求められ、それに伴い、記録速度もＬＢＰ並の高速性能が求められるようになっている。
【０００８】
そこで、高速ＩＪＰでは、フルライン型のインクジェットヘッドを搭載し、従来型のＩＪＰのようにインクジェットヘッドを記録媒体の搬送方向に直行する方向に移動させることなくインクジェットヘッドの下に記録媒体を搬送するだけで印刷が行えるように構成されている。これにより、従来のＩＪＰのように記録媒体を断続的に搬送することなく、連続して搬送できるため印刷速度の高速化を実現できた。また、インクを吐出するためのノズル数も格段に増加しているため、単位時間あたりの記録面積も増加するため、記録媒体を高速に搬送したとしても十分な印刷速度を得ることが出来る。
【０００９】
この記録装置において、記録媒体を搬送する無端状のベルト部材に導電性の電極を設け、電荷を与えて静電気力を発生させ、記録媒体を前記ベルト部材に吸着させて搬送しつつ記録を行う方法が一般的に知られている。以下、図４、５、６を用いて説明する。
【００１０】
図４に示すように、前記無端状ベルト部材としての搬送ベルト31には、導電金属からなる電極板36ａ，36ｂ、ベース層36ｃ、表層36ｄなどで構成されている吸着力発生手段が一体に設けられている。
【００１１】
図５は、前記無端状ベルトを上面から見た図である。電極板36ａ，36ｂはベルト内に内包されており、破線で囲われた両端の一部のみ電極が剥き出しになっており、網点エリアにおいて給電部材が接触し、電極に電圧が印加できるよう構成されている。
【００１２】
また、図６に示すように、前記搬送ベルトに給電を行う給電手段は、給電ブラシ51、給電電極52、支持部材53で構成されている。前記被給電部材36ｅには電荷を供給する給電ブラシ51が接している。この給電ブラシ51から前記被給電部材36ｅへ電荷が供給され、静電気力が発生する。これにより、常に良好な吸着力を発生させることができる。
【００１３】
また、図示していないが、前記給電ブラシよりも搬送方向下流側に、前記搬送ベルトの被給電部材に接して除電を行う除電ブラシが設けられている。この除電ブラシで前記搬送ベルトを除電して、吸着力をなくすことにより、スムーズな排紙が行える。
【００１４】
図７は、前記無端状ベルトを上面から見た図であり、図８は図７の破線部を断面から見た図である。前記無端状ベルト１０２の下部には無端状ベルト１０２の位置決めを行うためのプラテン３２０が設けてある。プラテン３２０の表面はフラットであり、無端状ベルト１０２がヘッドユニット２００との距離を位置決めし、平行に保つよう構成されている。無端状ベルト１０２の表面とヘッドユニット２００との距離は、通常１．５ｍｍ程度離れており、より高精細な印刷を行う際には０．５〜０．７ｍｍ程度の距離に縮める。また、プラテン３２０は導電性の材質であり、無端状ベルト１０２設けられている電極から発生する静電気力により無端状ベルト１０２がプラテン３２０に吸着される。搬送時は、無端状ベルト１０２がプラテン３２０上を摺動し、無端状ベルト１０２がバタつかず常に平面性を保つよう駆動する。
【００１５】
従来例としては、例えば特許文献１をあげることが出来る。
【特許文献１】特開平１１−１５１８４３号公報
【発明の開示】
【発明が解決しようとする課題】
【００１６】
しかしながら、静電気力により搬送ベルトに記録媒体を吸着させ搬送する方式は、紙種により吸着可能なものと不可能なものが存在する。
【００１７】
この違いは、記録媒体自体の材質に大きく起因し、従来の一般的に普通紙と称される均一の材質で構成される紙だけでなく、最近ではコート紙や光沢紙、アート紙等一般的なパルプ素材をベースに片面または両面に対しコーティングや特殊な加工を施した紙やパルプ以外の材料を混合した紙等、いわゆる高機能紙と呼ばれる紙が多数出現してきている。静電気力により吸着可能か否かは、紙そのものの抵抗値が大きな要因であるため、紙の抵抗値を予め計測し判別する方法も考えられるが、紙そのものの抵抗値より表面の加工状態により変化する表面抵抗が重要となるため、表面抵抗を正確に計測しなければならない。しかし、１０Ｅ１０程度の抵抗値を短時間で計測することは困難であり、新たに抵抗値を計測する装置自体を設けることはスペースとコストの観点からも不利である。
【００１８】
また、装置内での計測ではなく、予め紙の抵抗値を計測し、その情報を元に判別することも考えられるが、紙は湿度の影響を受けやすく環境に違いや絶対湿度により抵抗値が変化するため、事前に計測した抵抗値が実際に搬送する時の抵抗値と異なることも十分に予測される。
【００１９】
このように、静電気力により搬送ベルトに記録媒体を吸着させて搬送するシステムにおいては、事前に吸着可能な記録媒体であるかの判別を確実に行うことは困難であるという課題があった。
【課題を解決するための手段】
【００２０】
本出願に係る第１の発明は、搬送ベルトに＋極側に電圧を印加する電極と、−極側に電圧を印加する電極設け、＋極高圧電源から＋極側電極へ、−極高圧電源から−極側電極へ、それぞれ給電部材を介して電圧を印加し、搬送ベルトの電極から発生する静電気力により記録媒体を吸着する記録媒体搬送装置において、＋極高圧電源から出力される電流値を計測する＋極電流検出部と−極高圧電源から出力される電流値を計測する−極電流検出部を設け、電流検出部において検出された電流値が記録媒体搬送時に増加しなけば静電吸着不可能な紙種と判断することを特徴とする。
【００２１】
本出願に係る第２の発明は、電流検出部において検出された電流値が記録媒体搬送時に増加しなけば静電吸着不可能な紙種と判断し、記録媒体の搬送を中止することを特徴とする。
【００２２】
本出願に係る第３の発明は、電流検出部において検出された電流値が記録媒体搬送時に増加しなけば静電吸着不可能な紙種と判断し、記録媒体への印字動作を中止することを特徴とする。
【００２３】
本出願に係る第４の発明は、記録媒体へ印字を行う印字装置に退避機能を設け、電流検出部において検出された電流値が記録媒体搬送時に増加しなけば静電吸着不可能な紙種と判断し、印字装置を退避させることを特徴とする。
【００２４】
本出願に係る第５の発明は、記録媒体への加湿を行う加湿装置を設け、電流検出部において検出された電流値が記録媒体搬送時に増加しなけば、加湿装置から記録媒体への加湿を行うことを特徴とする。
【発明の効果】
【００２５】
以上説明したように本発明によれば、搬送ベルトに記録媒体が搬送された時に搬送ベルトで電圧を印加する電源のから出力される電流値の変化を計測することにより、静電吸着可能な記録媒体か否かの判別を行うことができる。
【００２６】
また、静電吸着できない記録媒体の場合は、搬送停止や印字停止、ヘッドユニット退避などの後処理を行うことで、搬送不良や印字不良に対し適切な対応をとることが可能となる。ユーザーに対し静電吸着不可であることを伝えることにより、紙種を交換する等の対応をとることもできる。
【００２７】
他には、加湿装置を設けることで、環境変動により静電気力が有効に働かなくなることを未然に防止することもできる。
【発明を実施するための最良の形態】
【００２８】
以下、図面を参照して本発明の実施形態を詳細に説明する。
【００２９】
図１は、代表的なインクジェット記録装置の構成図を示す。図１において、印刷用紙供給装置は以下の構成になっている。印刷用紙である記録媒体１０１は、給紙カセット１００に格納されている。ピックアップローラ１０２は、記録媒体１０１を給紙カセット１００からピックアップするためのローラである。搬送ローラ３０２、レジローラ３０３、排紙ローラ３０４は、搬送経路上に記録媒体１０１を搬送するためのローラであり、分離装置１２９は、搬送ベルト１０２から記録媒体１０１を分離する機能を有し、裏面排紙トレイ１３２は、印刷された記録媒体１０１を積載する。
【００３０】
搬送ベルト１０２は、駆動ローラ３１１、従動ローラ３１２、ベルトたるみ防止ローラ３１３から支持されている。駆動ローラ３１１には、モータ１１１が接続されており、モータ１１１が回転することにより駆動ローラ３１１が回転し、搬送ベルト１０２を駆動する。ベルトたるみ防止バネ１０４は、ベルトたるみ防止ローラ３１３に圧力を与えて搬送ベルト１０２に一定の張力が与えられるように構成されている。また、搬送ベルト１０２には、搬送ベルト１０２上に高電圧を印加する高圧給電部１０３が設けられており、静電吸着により記録媒体１０１を搬送する。
【００３１】
ヘッドユニット２００は、搬送ベルト１０２の上側に位置し、６色の印刷用ヘッドを搭載している。左よりイエロー用印刷インクジェットヘッドである第６インクジェットヘッド２０１、マゼンタ用印刷インクジェットヘッドである第５インクジェットヘッド２０２、シアン用印刷インクジェットヘッドである第４インクジェットヘッド２０３、ライトマゼンタ用印刷インクジェットヘッドである第３インクジェットヘッド２０４、ライトシアン用印刷インクジェットヘッドである第２インクジェットヘッド２０５、ブラック用印刷インクジェットヘッドである第１インクジェットヘッド２０６の順に搭載されている。各印刷用インクジェットヘッド２０１〜２０６には、ノズル部２１０があり、非印刷時ではキャップユニット２２０ａ、２２０ｂによりキャッピングされている。キャップユニット２２０ａ、２２０ｂは、左右方向２３０ａ、２３０ｂに開閉可能である。また、ヘッドユニット２００は、キャップユニット２２０ａ、２２０ｂの開閉に伴い、矢印２４０に示す上下方向に移動することが可能である。
【００３２】
両面反転機構１５０は、反転前ローラ３０５、反転ローラ３０６、反転後ローラ３０７、両面ローラ３０８、パス切換器３５０からなる反転機構を有し、搬送ベルト１０２上で印刷された記録媒体１０１の表裏を反転し、再度搬送ベルト１０２上へ送る機能を有する。
【００３３】
次に動作について説明する。
【００３４】
印刷を開始するに当り、ヘッドユニット２００は一旦上昇し、キャップユニット２２０ａ、２２０ｂを左右移動することにより、キャッピングを解除し、その後、印刷位置まで下降する。図２は印刷ヘッドユニット１２６が印刷可能位置まで下降した状態を示している。搬送ベルト１０２の搬送駆動エネルギーは、駆動モータ１１１により与えられ、回転を開始する。搬送ローラ３０２、レジローラ３０３、排紙ローラ３０４の搬送駆動エネルギーは、図示しない他のモータにより与えられ、回転を開始する。
【００３５】
給紙カセット１００からピックアップローラ１０２によりピックアップされた記録媒体１０１は、搬送ローラ３０２、レジローラ３０３を介して印刷部である搬送ベルト１０２上に搬送される。この時、搬送ベルト１０２には高圧給電部１０３により帯電状態になっているので記録媒体１０１は搬送ベルト１０２に静電吸着される。記録媒体１０１は、インクジェットヘッド２０１〜２０６の下を通過する際にインクジェットヘッド２０１〜２０６から吐出されるインクにより印刷される。インクジェットヘッド２０１〜２０６の下を通過した記録媒体１０１は、分離装置１２９により搬送ベルト１０２から分離され、排紙ローラ３０４を通過した後、裏面排紙トレイ１３２へ排出される。
【００３６】
図３は、図１及び図２の上から見た図である。搬送ベルト１０２上にある記録媒体１０１a、１０１bがインクジェットヘッド２０１〜２０６の下を矢印の搬送方向に向かって搬送される様子を表したものである。
【００３７】
次に両面印刷時の動作について説明する。
【００３８】
インクジェットヘッド２０１〜２０６から吐出されるインクにより印刷され、インクジェットヘッド２０１〜２０６の下を通過した記録媒体１０１は、分離装置１２９を介し、両面反転機構１５０へ搬送される。両面反転機構１５０では、反転前ローラ３０５を通り、反転ローラ３０６へ搬送される。記録媒体１０１の後端が反転前ローラ３０５を通過すると、記録媒体１０１の搬送を一旦停止する。パス切換器３５０により、搬送経路が反転ローラ３０７へ向うように切り換える。次に反転ローラ３０６を停止前の逆方向に回転し、記録媒体１０１の搬送を再開する。この動作により記録媒体１０１の表裏反転が行われる。記録媒体１０１は、両面ローラ３０８に搬送されたのち一旦停止する。この後の搬送再開のタイミングは、前方の記録媒体１０１との間隔により決定され、所定のウエイト後搬送を再開する。搬送を再開した記録媒体１０１は、搬送ローラ３０２、レジローラ３０３を通過の後、再度搬送ベルト１０２上に搬送され、裏面の印刷後、分離装置１２９により搬送ベルト１０２から分離され、排紙ローラ３０４を通過した後、裏面排紙トレイ１３２へ排出される。
【００３９】
以下添付図面を参照して本発明の好適な実施形態について詳細に説明する。
【００４０】
なお、以下に説明する実施形態では、インクジェット記録方式を用いた記録装置としてプリンタを例に挙げ説明する。
【００４１】
本明細書において、「印刷」とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００４２】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００４３】
さらに、「インク」とは、上記「記録」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００４４】
本発明に係る第１の実施例について説明する。
【００４５】
図９は、本発明に係る第１の実施例における概略構成図である。搬送ベルト１０２には、＋極の電圧を印加する給電ブラシ１５０と−極の電圧を印加する給電ブラシ１５０とが接触しており、図示しない搬送ベルト１０２に内包される電極板に対し電圧を印加している。給電ブラシ１５０には、＋極には＋極電源が−極には−極電源が接続されており、電源から供給される高電圧を給電ブラシ１５０を介して搬送ベルト１０２に印加している。給電ブラシ１５０と電源との間には、電源から出力される電流値を計測する電流計１５６が設置されている。電流計１５６が計測する電流値は制御部１６２によりモニタリングされるよう構成されている。
【００４６】
図１０は、記録媒体搬送時における電流計１５６が計測する電流値を表したグラフである。記録媒体を搬送していない時は、電気回路的にオープンな状態であり電流はほとんど流れない。しかし、記録媒体搬送時は、特に高電圧を印加時に電極と記録媒体との間においてクローズな回路が構成され若干の電流が流れる。すなわち、図１０に示すように記録媒体搬送時の電流波形は台形波となる。
【００４７】
電流値は、印加する電圧、電極の面積、搬送ベルトの材質及び厚み、記録媒体の面積などにより異なるが、印加電圧１ｋＶ、電極幅６ｍｍ電極間３ｍｍの櫛歯上の電極、抵抗値１０Ｅ１１の材質からなる厚さ１００μｍの搬送ベルトにおいて、Ａ４サイズの普通紙を搬送する際に１００μＡ程度の電流が流れることが確認されている。
【００４８】
しかし、ＰＥＴフィルムのような静電吸着搬送が不可な絶縁物からなる記録媒体を搬送した時は、記録媒体を搬送していない電気回路的にオープンな状態と同じになり、図１１のグラフに示すよう電流は流れない。すなわち、記録媒体を搬送する前と搬送中とでの電流値に変化がない。
【００４９】
制御部１６２ではこのような電流値の変化をモニタリングし、記録媒体が搬送ベルト１０２上に搬送されたタイミングにおいて、電流計１５６が計測する電流値が増加すれば静電吸着可能な紙種と判別し、逆に変化が現れなければ静電吸着不可能な紙と判別する。また、電流値は、印加する電圧、電極の面積、搬送ベルトの材質及び厚み、記録媒体の面積などにより異なるため、静電吸着可能か否かの判断基準を搬送前と比較し１０μＡ以上の電流増加があるというようなしきい値を設けて判別するよう構成してもよい。
【００５０】
このように本実施例においては、記録媒体搬送時に変化する電流値を計測して静電吸着可能か否かを判断するため、完全に静電吸着搬送できる紙種を判別することが可能である。
【００５１】
本発明に係る第２の実施例について説明する。
【００５２】
第２の実施例においては、記録媒体が搬送ベルト１０２上に搬送された時に、電流計１５６が計測する電流値が増加すれば静電吸着可能な紙種と判別し通常の搬送動作を続行する。逆に変化が現れなければ静電吸着不可能な紙と判別し、全てあるいは一部の記録媒体搬送動作を停止し、ジャム処理と同様の後処理を行えるよう制御する。
【００５３】
すなわち、電流計１５６で計測された電流値が図１１に示すように記録媒体搬送時において変化がない場合、図１を用いて前述して説明した動作、給紙カセット１００から記録媒体１０１をピックアップローラ１０２を用いてピックアップし、記録媒体の搬送を開始する一連の動作を停止する。
【００５４】
また、搬送停止と同時に、制御部１６２は搬送不可能な紙種であることを通知するメッセージを送出し、ユーザーに対し警告を促すよう構成してもよい。このメッセージはプリンタ本体の表示系に表示されるよう構成してもよいし、プリンタに接続されているパソコン等の装置にインターフェースを介して送出するよう構成してもよい。
【００５５】
本実施例においては、記録媒体搬送を停止することにより吸着不可能な紙を搬送することを防止することができる。
【００５６】
本発明に係る第３の実施例について説明する。
【００５７】
第３の実施例においては、記録媒体が搬送ベルト１０２上に搬送された時に、電流計１５６が計測する電流値が増加すれば静電吸着可能な紙種と判別し通常の印字動作を続行する。逆に変化が現れなければ静電吸着不可能な紙と判別し、ヘッドユニット２００から吐出し記録媒体１０１に印字する一連の動作を停止する。
【００５８】
すなわち、電流計１５６で計測された電流値が図１１に示すように記録媒体搬送時において変化がない場合、図１を用いて前述して説明した動作、記録媒体１０１がインクジェットヘッド２０１〜２０６の下を通過する際にインクジェットヘッド２０１〜２０６から吐出されるインクにより印刷される一連の動作を停止する。
【００５９】
また、印字停止と同時に、制御部１６２は搬送不可能な紙種であることを通知するメッセージを送出し、ユーザーに対し警告を促すよう構成してもよい。このメッセージはプリンタ本体の表示系に表示されるよう構成してもよいし、プリンタに接続されているパソコン等の装置にインターフェースを介して送出するよう構成してもよい。
【００６０】
本実施例においては、印字動作を停止することにより吸着不可能な紙に対し印刷することによって発生する印刷不良を防止することができる。
【００６１】
本発明に係る第４の実施例について説明する。
【００６２】
第４の実施例においては、記録媒体が搬送ベルト１０２上に搬送された時に、電流計１５６が計測する電流値が増加すれば静電吸着可能な紙種と判別し通常の印字動作を続行する。逆に変化が現れなければ静電吸着不可能な紙と判別し、ヘッドユニット２００を退避位置もしくは図１に示すようにキャップ位置まで退避しキャッピングを行う。
【００６３】
すなわち、電流計１５６で計測された電流値が図１１に示すように記録媒体搬送時において変化がない場合、図１を用いて前述して説明した動作、印刷を開始するに当り、ヘッドユニット２００は一旦上昇し、キャップユニット２２０ａ、２２０ｂを左右移動することにより、キャッピングを解除し、その後、印刷位置まで下降するの反対の動作を行う。但し本実施例においては、キャッピング動作まで行っても良いし、搬送ベルト１０２とヘッドユニット２００との間のクリアランスが十分にとれていればキャッピングは行わず、退避させた状態で停止してもよい。
【００６４】
また、ヘッドユニット２００の退避と同時に、制御部１６２は搬送不可能な紙種であることを通知するメッセージを送出し、ユーザーに対し警告を促すよう構成してもよい。このメッセージはプリンタ本体の表示系に表示されるよう構成してもよいし、プリンタに接続されているパソコン等の装置にインターフェースを介して送出するよう構成してもよい。
【００６５】
本実施例においては、ヘッドユニット２００を退避することにより吸着不可能な紙が搬送されてもヘッドユニット２００へ誤って接触することを防止することができる。
【００６６】
本発明に係る第５の実施例について説明する。
【００６７】
本実施例においては、プリンタ装置内の給紙ユニットから搬送ベルトまでの間に記録媒体に対し調湿を行う加湿装置を新たに設けている。
【００６８】
記録媒体が搬送ベルト１０２上に搬送された時に、電流計１５６が計測する電流値が増加すれば静電吸着可能な紙種と判別し通常の印字動作を続行する。逆に変化が現れなければ静電吸着不可能な紙と判別し、加湿装置を用いて記録媒体に対して加湿を行う。
【００６９】
通常紙は湿度（絶対湿度）の影響を大きく受ける。特に低温低湿の環境においては紙の抵抗値が上昇する。この結果、電流計１５６で計測された電流値が図１１に示すように記録媒体搬送時において変化がなくなり、静電吸着搬送が不可能となる。このような場合、加湿装置をＯＮし記録媒体への加湿を行う。加湿する環境は常温常湿（例、２０℃６０％）程度までの加湿を行う。記録媒体への加湿の結果、電流計１５６が計測する電流値が増加すれば静電吸着可能な紙種と判別し通常の印字動作を続行する。しかし、変化が現れなければ静電吸着不可能な紙と判別し、前述したような後処理を実行する。
【００７０】
本実施例においては、加湿装置を設け記録媒体へ加湿行うことにより、環境変化により静電吸着搬送ができなくなることを防止することができる。
【００７１】
本発明に係る第６の実施例について説明する。
【００７２】
第６の実施例においては、図９に示す電流計１５６を＋極側か−極側かどちらか一方のみに配置する。
【００７３】
すなわち、記録媒体が搬送ベルト１０２上に搬送された時に、電流計１５６が計測する電流値は基本的に＋極側−極側どちらも極性が異なるのみで絶対値としては同等である。そこで、＋極側か−極側かどちらか一方に対し電流計１５６を設けても前述した動作や処理を行うことができる。
【図面の簡単な説明】
【００７４】
【図１】インクジェット記録装置の構成図（その１）
【図２】インクジェット記録装置の構成図（その２）
【図３】図１および図２のインクジェット記録装置搬送部の上面図
【図４】搬送ベルト内部の説明図
【図５】搬送ベルトを上から見た図
【図６】搬送ベルトと給電ブラシの位置関係図
【図７】搬送ベルトを上面から見た図
【図８】無端状ベルトを断面から見た図（その１）
【図９】本発明に係る概略外観図
【図１０】静電吸着可能な媒体の搬送時の電流波形
【図１１】静電吸着不可能な媒体の搬送時の電流波形
【符号の説明】
【００７５】
３１  搬送ベルト
３２  搬送ローラ
３３  ピンチローラ
３４  駆動ローラ
３５  圧力ローラ
３６  吸着力発生手段
３６ａ  電極板
３６ｂ  電極板
３６ｃ  ベース層
３６ｄ  表層
３６ｅ  被給電部材
５１  給電ブラシ
５２ａ，５２ｂ，５２ｃ  給電電極
５３  支持部材
１００  給紙カセット
１０１  記録媒体
１０２  搬送ベルト
１０３  高圧給電部
１０４  バルトたるみ防止バネ
１１１  モータ
１２９  分離装置
１３２  排紙トレイ
１５０  給電ブラシ
１５６  電流計
１６２  制御部
２００  ヘッドユニット
２０１  第６ヘッド（イエロー）
２０２  第５ヘッド（マゼンタ）
２０３  第４ヘッド（シアン）
２０４  第３ヘッド（ライトマゼンタ）
２０５  第２ヘッド（ライトシアン）
２０６  第１ヘッド（ブラック）
２１０  ノズル
２２０ａ  キャップ
２２０ｂ  キャップ
３０１  ピックアップローラ
３０２  搬送ローラ
３０３  レジローラ
３０４  排紙ローラ
３０５  反転前ローラ
３０６  反転ローラ
３０７  反転後ローラ
３０８  両面ローラ
３１１  駆動モータ
３１２  駆動ローラ
３１３  ベルトたわみ防止ローラ
３２０  プラテン
３５０  パス切換器
【図１】
2008222421.tif 000003
【図２】
2008222421.tif 000004
【図３】
2008222421.tif 000005
【図４】
2008222421.tif 000006
【図５】
2008222421.tif 000007
【図６】
2008222421.tif 000008
【図７】
2008222421.tif 000009
【図８】
2008222421.tif 000010
【図９】
2008222421.tif 000011
【図１０】
2008222421.tif 000012
【図１１】
2008222421.tif 000013